(57)【特許請求の範囲】
【請求項１】
カラー表示のための複数の各カラーフィルタに対応した複数の画素電極を、それぞれ得られる表示画像における上下方向となる方向に並んで有している画素が複数マトリクス状に設けられ、かつ、画像表示する際に動作する走査線が、上記表示画像における上下方向となる方向に沿って配設され、上記各画素電極を駆動する複数の信号線であって、画像表示する際に動作する信号線が上記表示画像における上下方向となる方向に対して交差する方向に沿って配設されている液晶パネルと、
得られる表示画像における上下方向となる方向に線順次走査するための画像データの配列を上記表示画像における上下方向となる方向に対して交差する方向に線順次走査するための画像データの配列に変換するためのデータ記憶手段と、を備えていることを特徴とする液晶表示装置。
【請求項２】
カラー表示のための複数の各カラーフィルタに対応した複数の画素電極を、それぞれ得られる表示画像における上下方向となる方向に並んで有している画素が複数マトリクス状に設けられ、かつ、上記各画素電極を駆動する複数の信号線が、上記表示画像における上下方向となる方向に沿って配設され、走査線が上記複数の画素電極毎に、上記表示画像における上下方向となる方向に対して交差する方向に沿って配設されている液晶パネルと、
得られる表示画像における上下方向となる方向に線順次走査するための画像データを画素における複数の画素電極に対応する複数の画像データに分解し、前記分解された画像データを順に１／３の時間に圧縮して出力するようにタイミングを制御するためのデータ記憶手段と、を備えていることを特徴とする液晶表示装置。
【請求項３】
液晶パネルが、複数、各画素による表示面を同一平面とするように並べられ、かつ、得られる表示画像における上下方向となる方向に沿った端部で互いに接続されていることを特徴とする請求項１または２に記載の液晶表示装置。
【請求項４】
上記画像データは、赤（Ｒ）、緑（Ｇ）、青（Ｂ）各色の画像データであることを特徴とする請求項１または２に記載の液晶表示装置。
【請求項５】
上記データ記憶手段は、赤（Ｒ）、緑（Ｇ）、青（Ｂ）各色の画像データ毎に２個ずつ設けられており、これら２個のデータ記憶手段は交互に作動されるものであることを特徴とする請求項４に記載の液晶表示装置。
【発明の詳細な説明】
【０００１】
【発明の属する技術分野】
本発明は、オーディオビデュアル（ＡＶ）機器やオフィスオートメーション（ＯＡ）機器に使用でき画面の大型化が容易な液晶表示装置に関するものである。
【０００２】
【従来の技術】
従来より、ＡＶ機器として用いられる家庭用のテレビ、ＯＡ機器に用いられる表示装置に対して、軽量化、薄型化、低消費電力化、高精細化及び画面の大型化が要求されている。このため、陰極線管表示装置（ＣＲＴ）、液晶表示装置（ＬＣＤ）、プラズマ表示装置（ＰＤＰ）、エレクトロルミネセンス表示装置（ＥＬ）、発光ダイオード表示装置（ＬＥＤ）などの表示装置においても大画面化の開発・実用化が進められている。
【０００３】
なかでも液晶表示装置は、他の表示装置に比べ、厚さ（奥行き）が格段に薄くできること、消費電力が小さいこと、フルカラー化が容易なことなどの利点を有するので、近年においては種々の分野で用いられつつあり、画面の大型化への期待も大きいものである。
【０００４】
ところが、上記従来の液晶表示装置は画面の大型化を図ると、製造工程において信号線の断線、画素の欠陥などによる不良率が急激に高くなり、不良率の上昇による液晶表示装置の価格上昇を招来するといった問題を有している。そこで、上記の各問題を解決するために、複数の液晶パネルを単につなぎ合せて全体で１台の液晶表示装置とし、画面の大型化を図ることが行われている。
【０００５】
しかし、上記の方法で大型化した画面では、液晶パネルの表示画面におけるつなぎ目が目立ち、得られる表示画像の表示品位が低下するので、自然な表示画像を得るために、液晶パネルの表示画面におけるつなぎ目を目立たなくする工夫が必要とされる。
【０００６】
そこで、本願発明者らは、表示画面におけるつなぎ目をより目立たなくする方法として、特願平６−２８３３０６号（特開平８−１４６４５５号公報）において、Ｒ・Ｇ・Ｂ各色のカラーフィルタに対応した３つの画素電極が、液晶パネルの接続部から等距離に配置される方法を提案している。
【０００７】
上記方法による液晶表示装置は、図１３に示すように、液晶パネル１０１・１０１に配されているマトリクス状の画素１１３…において、Ｒ・Ｇ・Ｂ各色のカラーフィルタに対応した３つの画素電極１１４…が、接続部１１１からほぼ等距離となるようにＲ・Ｇ・Ｂの順に、表示画面上で得られる、たとえば、ビルなどといった建造物の表示画像における上下方向となるような方向である、接続部１１１に沿った方向（図１３ではＹ軸方向）に沿って並んで配設されている。
【０００８】
上記画素１１３は、図１４に示すように、Ｒ・Ｇ・Ｂ各色それぞれに対応する各画素電極１１４…にそれぞれ接続された各ＴＦＴ素子１１５…により駆動されている。すなわち、ＴＦＴ素子１１５…には、それぞれが絶縁膜１１６…によって絶縁された信号線１１７…と、走査線１１８…とが接続され、画素電極１１４…をそれぞれ独立して駆動するようになっている。
【０００９】
上記構成では、接続部１１１に近接した画素１１３…に対応したカラーフィルタを透過する光が接続部１１１により分光屈折率あるいは屈折率の影響を受けても、各画素１１３の色変調の度合いがほぼ等しくなる。このため、接続部１１１に近接する画素１１３の斜め方向からの光に対して、光の色バランスが崩れず、接続部１１１での色調の異なる領域が生じない。したがって、表示画面におけるつなぎ目がより目立たなくなる。
【００１０】
このように、２枚の液晶パネルを接続し、表示画面におけるつなぎ目を目立たなくすることで、品位の高い大画面表示を可能にしている。
【００１１】
【発明が解決しようとする課題】
ところが、上記特開平８−１４６４５５号の方法における画素電極の配列では、信号線１１７の１ライン長が従来よりも２倍以上長くなり、そのため、信号線１１７における表示画像を表示するための駆動信号となる電気信号の遅延が顕著になり、表示画像に悪影響を与えるという問題点を生じている。
【００１２】
すなわち、線順次走査を行う従来のアクティブマトリクス型の液晶表示装置では、表示画面上で得られる、たとえばビルなどといった建造物の表示画像における上下方向となるような方向である、図１４におけるＹ軸方向に沿って信号線が、また、上記Ｙ軸方向に対して直交する方向である図１４におけるＸ軸方向に沿って走査線が配設されている。
【００１３】
これに対し、特開平８−１４６４５５号の方法による液晶表示装置では、従来の液晶表示装置と同様の駆動信号で画素電極１１４…を駆動するために、信号線１１７が画素電極１１４…の周囲にコ字状に巡らされることによってＹ軸方向に配設されている。このため、信号線１１７の１ライン長が従来よりも２倍以上に長くなる。したがって、信号線１１７が上記のように配設されると、液晶表示装置の大型化に伴い信号線１１７における電気信号が遅延し、表示画像に悪影響を与える。
【００１４】
加えて、走査線１１８と信号線１１７とが絶縁膜１１６を介して交差する箇所が増加するため、交差箇所での電気短絡による欠陥が発生しやすいという問題点も生じる。
【００１５】
本発明の目的は、上述した問題点を解決するためのものであって、つなぎ目が目立たなくなる各画素電極の配列を維持し、かつ、より単純な信号線または走査線の構造を用いて、表示画像の品質向上および不良率の改善が可能な液晶表示装置を提供することである。
【００１６】
【課題を解決するための手段】
本発明の液晶表示装置は、以上の課題を解決するために、カラー表示のための複数の各カラーフィルタに対応した複数の画素電極を、それぞれ得られる表示画像における上下方向となる方向に並んで有している画素が複数マトリクス状に設けられ、かつ、走査線が、上記表示画像における上下方向となる方向に沿って配設され、上記各画素電極を駆動する複数の信号線が上記表示画像における上下方向となる方向に対して交差する方向に沿って配設されている液晶パネルと、得られる表示画像における上下方向となる方向に線順次走査するための画像データの配列を上記表示画像における上下方向となる方向に対して交差する方向に線順次走査するための画像データの配列に変換するためのデータ記憶手段と、を有していることを特徴としている。
【００１７】
上記の構成によれば、各カラーフィルタに対応した各画素電極を走査線および信号線により駆動することで、各画素でのカラー表示が可能となる。また、上記構成では、走査線を、得られる表示画像における上下方向となる方向に沿って配設することによって、信号線を上記表示画像における上下方向となる方向に対し、たとえば直交するように交差する方向に沿って直線状に配設することができる。このため、従来のように信号線をコ字状に配設する必要がない。したがって、信号線の１ライン長を従来より短くできるので、電気信号となる画像表示信号の遅延を抑制することができる。また、上記構成では、走査線と信号線の交差箇所が従来のように増加することを防止でき、該交差箇所での電気短絡による不良を低減することができる。
【００１８】
本発明の液晶表示装置は、以上の課題を解決するために、得られる表示画像における上下方向となる方向に線順次走査するための画像データの配列を、上記画像データを記憶するデータ記憶手段を用いることによって、上記表示画像における上下方向となる方向に対して交差する方向に線順次走査するように変換することを特徴としている。
【００１９】
上記の構成によれば、走査線および信号線が上記の配設関係をとることによって、線順次走査を行う方向は、得られる表示画像における上下方向となる方向からこの方向に対し交差する方向に変更される必要がある。このため、得られる表示画像における上下方向となる方向に対応した画像データを、データ記憶手段に一度格納して、上記表示画像における上下方向となる方向に対して交差する方向に並べ代えて出力することによって、従来の液晶表示装置と同様の画像表示を行うことができ、かつ、画像表示信号の遅延を抑制できるとともに、不良率も改善でき、さらに、液晶パネルをつなぎ合わせた場合に、より品位の高い大画面表示を得ることが可能となる。
【００２０】
本発明の液晶表示装置は、以上の課題を解決するために、カラー表示のための複数の各カラーフィルタに対応した複数の画素電極を、それぞれ得られる表示画像における上下方向となる方向に並んで有している画素が複数マトリクス状に設けられ、かつ、上記各画素電極を駆動する複数の信号線が、上記表示画像における上下方向となる方向に沿って配設され、走査線が上記複数の画素電極毎に、上記表示画像における上下方向となる方向に対して交差する方向に沿って配設されている液晶パネルと、得られる表示画像における上下方向となる方向に線順次走査するための画像データを画素における複数の画素電極に対応する複数の画像データに分解し、前記分解された画像データを順に出力するようにタイミングを制御するためのデータ記憶手段と、を備えていることを特徴としている。
【００２１】
上記の構成によれば、各カラーフィルタに対応した各画素電極を走査線および信号線により駆動することで、各画素でのカラー表示が可能となる。また、上記構成では、走査線を上記複数の画素電極毎に、得られる表示画像における上下方向となる方向に対し、たとえば直交するように交差する方向に沿って配設している。このため、上記各画素電極に対する信号線を直線状に配設することが可能となり、従来のように信号線をコ字状に配設する必要がない。したがって、信号線の１ライン長を従来より短くできるので、電気信号となる画像表示信号の遅延を抑制することができる。また、上記構成では、走査線と信号線の交差箇所が従来のように増加することを防止でき、該交差箇所での電気短絡による不良を低減することができる。
【００２２】
本発明の液晶表示装置は、以上の課題を解決するために、得られる表示画像における上下方向となる方向に線順次走査するための画像データを、上記画像データを記憶するデータ記憶手段を用いて出力するタイミングを制御することにより、画素における複数の画素電極に対応する複数の画像データをそれぞれ独立させて出力し、上記各画素電極を、得られる表示画像における上下方向となる方向に線順次走査することを特徴としている。
【００２３】
上記の構成によれば、走査線および信号線が上記の配設関係をとるため、画面の線順次走査は、一つの画素を構成する各色の複数の画素電極ごとに行われる必要がある。そこで、データ記憶手段を用いて、各色の複数の画像データを平行してデータ記憶手段に格納し、該データを格納時の１／３の時間に圧縮してタイミングを制御しながら各色の画像データをそれぞれ一つずつ液晶パネルへ出力し、各色の画素電極ごとに線順次走査を行うことによって、従来の液晶表示装置と同様の画面表示を行うことができ、かつ、画像表示信号の遅延を抑制できるとともに、不良率も改善でき、さらに、液晶パネルをつなぎ合わせた場合により品位の高い大画面表示を得ることが可能となる。
【００２４】
本発明の液晶表示装置は、以上の課題を解決するために、液晶パネルが、複数、各画素による表示面を同一平面とするように並べられ、かつ、得られる表示画像における上下方向となる方向に沿った端部で互いに接続されていることを特徴としている。
【００２５】
上記の構成によれば、複数の画素電極が、液晶パネルの接続部から等距離となるように、得られる表示画像における上下方向となる方向に沿って形成されているため、上記接続部に近接した画素電極に対応したカラーフィルタを透過する光が、接続部により光の散乱や屈折の影響を受けても、各画素電極の色変調の度合いが等しくなる。
【００２６】
このため、上記構成では、接続部に近接する画素の斜め方向からの光に対して光の色バランスが崩れず、接続部での色調の異なる領域が生じない。したがって、表示画面におけるつなぎ目がより目立たなくなるため、より品位の高い大画面表示を得ることができる。
【００２７】
【発明の実施の形態】
〔実施の形態１〕
本発明の実施の一形態について図１ないし図７に基づいて説明すれば、以下の通りである。なお、本実施の形態では、図２および図３に示すように、長方形板状の２枚の各液晶パネル２１・２１を互いにそれらの長手方向端面となる接続部１３にて隣接接続して、カラー大画面表示を行なう液晶表示装置２０について説明する。なお、これによって本発明が限定されるものではない。
【００２８】
本実施の形態に係る液晶表示装置２０では、図２に示すように、２つの液晶パネル２１・２１が、それらの表示面が同一平面状となるように、ガラスなどの１枚の大型透明基板２３の同一平面上にて上記大型透明基板２３に対して光透過性の材料からなる屈折率調整材１４により接着され、また、各液晶パネル２１・２１が互いに隣接して上記屈折率調整材１４によって接続され、さらに、一対の偏光板２４・２４によって挟まれてなっている。偏光板２４・２４は、互いの偏光軸が直交する、すなわち、クロスニコル状態となるようにそれぞれ設置されている。
【００２９】
液晶パネル２１は、薄膜トランジスタ（ＴＦＴ）基板１と対向基板８とを対向配置し、紫外線硬化樹脂などからなるシール材９を介して貼り合わせ、それら各基板１・８間に液晶を封入して液晶層１０を形成してなっている。
【００３０】
対向基板８上には、図示しない光透過性の酸化インジウム錫（ＩＴＯ）などからなる共通電極が上記液晶層１０に適するように形成されるとともに、ＴＦＴ基板１上のカラー表示のための各画素電極５…に対応した位置にＲ・Ｇ・Ｂ各色のカラーフィルタ１１…と、各画素２…の分離を行うブラックマトリクス１２とが形成されている。なお、ブラックマトリクス１２は、対向基板８側に限らず、ＴＦＴ基板１側に設けられていてもよい。
【００３１】
上記ＴＦＴ基板１上には、図１に示すように、画素２…、走査線３…および信号線４…が形成されている。ＴＦＴ基板１はガラスなどの透明な絶縁性基板を有しており、この上に画素２…がマトリクス状に形成されている。一つの画素２は、赤（Ｒ）、緑（Ｇ）、青（Ｂ）各色に対応する３つの画素電極５…からなっている。これら３つの画素電極５…は、表示画面上で得られるたとえばビルなどといった建造物の表示画像における上下方向となるような方向に並んで形成されている。つまり、図１では、一つの画素２における３つの画素電極５…は、液晶パネル２１における長手方向（図１ではＹ軸方向であり、以下、実施の形態においてはこの方向をＹ軸方向とする）に並んで形成されている。
【００３２】
すなわち、３つの画素電極５…は、液晶パネル２１・２１の接続部１３から等距離になるよう配置されている。Ｒ・Ｇ・Ｂ各色に対応する各画素電極５…には、それぞれＴＦＴ素子６…が接続されている。
【００３３】
ＴＦＴ素子６…には、絶縁膜７…によって互いに絶縁された走査線３…と、信号線４…とが接続されている。走査線３…は、液晶パネル２１の長手方向となるＹ軸方向に沿って、信号線４…は、液晶パネル２１の長手方向に対して直交する方向（図１ではＸ軸方向であり、以下、実施の形態においてはこの方向をＸ軸方向とする）に沿ってそれぞれ配設されている。つまり、一般的なアクティブマトリクス型の液晶表示装置に対し、走査線３…と信号線４…の配設関係が逆に、すなわち９０°回転した関係となるように配設されている。
【００３４】
上記画素電極５…は、透過型の液晶表示装置２０として使用する場合はＩＴＯなどの透明導電膜、反射型の液晶表示装置２０として使用する場合はアルミニウム（Ａｌ）などの反射性導電膜より形成される。
【００３５】
ＴＦＴ素子６…は、アモルファスシリコン（ａ−Ｓｉ）や多結晶シリコン（ｐ−Ｓｉ）などの半導体薄膜を用いた電界効果型トランジスタであり、画素電極５…への電気信号の供給を制御している。すなわち、画素電極５…は、走査線３…および信号線４…からの信号によるＴＦＴ素子６…のオン・オフによって駆動される。走査線３…や信号線４…にはタンタル（Ｔａ）、アルミニウム（Ａｌ）、モリブデン（Ｍｏ）などの金属膜を用いることができる。
【００３６】
このようにして得られた本実施の形態の液晶表示装置２０は、図１に示した配線構造をとることによって、従来の液晶表示装置の配線構造のように信号線４…を画素電極５…の周囲にコ字状に巡らせる必要がないため、信号線４…の１ライン長が従来の２倍以上に長くなることを回避できる。
【００３７】
このため、従来の液晶表示装置に比べ、電気信号となる画像表示信号の遅延を約１／２に抑えることができる。上記の画像表示信号の遅延を抑制することは、特に、大画面の液晶表示装置において、表示画像を表示する速度の遅延を回避するには有効であり、中でも本実施の形態に示すような、つなぎ合わせによる大画面ディスプレイにはより一層有効である。
【００３８】
また、各液晶パネル２１のつなぎ目を目立たなくするための画素電極５…の配置を維持しながら、より単純な走査線３…および信号線４…を用いる方法として、ＴＦＴ基板１上に形成されている層間絶縁膜を利用して、走査線３…と信号線４…とを多層構造にすることも考えられるが、この方法を用いた場合、製造工程が増加して繁雑化し、製造コストも上昇することが考えられる。
【００３９】
これに対して、本実施の形態の液晶表示装置２０は、走査線３…および信号線４…をＴＦＴ基板１上に一つの層で形成することができるため、製造工程の繁雑化を回避し、製造コストの上昇も回避できる。
【００４０】
さらに、上記の配線構造では、走査線３…と信号線４…とが絶縁膜７…を介して交差する箇所は従来例よりも少ない。具体的には、従来の配線構造では、一つの画素あたり６箇所あった配線の交差箇所が、図１に示す配線構造では３箇所になっている。つまり、配線の交差箇所が従来と比較して半分になっているため、電気短絡による不良発生率を約１／２以下に低減することができ、製造コストを低減できる。
【００４１】
本実施の形態の液晶表示装置２０に用いられる前述のブラックマトリクス１２は、光を吸収して黒色を呈する材料からできた光吸収膜から形成されており、画素電極５…間の隙間やＴＦＴ素子６…エリアへの光の入射を遮るために設けられている。たとえば、画素電極５…以外のエリアに光が透過すると、黒表示状態の品位が下がり、表示画面のコントラストが低下する。また、ＴＦＴ素子６…に光が入射するとＴＦＴチャネル内に光励起によるリーク電流が発生し、表示画面の品位が低下する。これをブラックマトリクス１２を形成することによって防止する。
【００４２】
また、上記の各液晶パネル２１・２１の接続部（つなぎ目）１３には、屈折率調整材１４が充填されている。この屈折率調整材１４は、各液晶パネル２１・２１を構成するＴＦＴ基板１および対向基板８とほぼ同じ屈折率を有する材料からなっている。なお、屈折率調整材１４は、各液晶パネル２１・２１を大型透明基板２３上に貼り合せる際の接着剤としても利用することができる。
【００４３】
さらに、上記ＴＦＴ基板１と対向基板８とは、それぞれの対向面側の液晶層１０と接触する面に、液晶分子を所定方向に配向させる配向膜（図示せず）が形成されている。
【００４４】
上記配向膜は、ラビング法などによりホモジニアス配列処理を行なうことによって形成される。これにより、ＴＦＴ基板１と対向基板８との間に封入された、誘電異方性が正のネマティック液晶の液晶分子の配列の方向が、２枚の基板間で９０°ねじれるようになっている。したがって、本実施の形態の液晶パネル２１は、ツイストネマティック（ＴＮ）表示モードにより液晶分子を駆動するようになっている。
【００４５】
上記の構成である一対の各液晶パネル２１・２１をつなぎ合わせて、１枚の大型透明基板２３の同一平面上に配置して大型パネルを形成する。この大型パネルの表裏面のそれぞれに、互いの偏光軸が直交する方向で一対の偏光板２４・２４をほぼ全面に設置することにより、本実施の形態の液晶表示装置２０が形成されている。
【００４６】
このようにして得られた本実施の形態の液晶表示装置２０には、前記のように、各液晶パネル２１・２１の接続部１３に、ＴＦＴ基板１および対向基板８とほぼ同じ屈折率の屈折率調整材１４が充填されている。このため、上記接続部１３における基板端面の凹凸を原因とした、光の屈折・散乱が防止される。これによって、表示画面におけるつなぎ目が目立たない自然な表示画像を得ることが可能となる。
【００４７】
なお、前述のように、屈折率調整材１４は、各液晶パネル２１・２１を大型透明基板２３上に貼り合せる際の接着剤としても利用することができるが、この場合、大型透明基板２３と対向基板８との界面において光の反射が起こることがある。このため表示画面のコントラストが低下するので、屈折率調整材１４は、対向基板８および大型透明基板２３と同じ屈折率の樹脂を使用することが好ましい。これにより、さらにつなぎ目の目立たない、自然な表示画像を得ることが可能となる。
【００４８】
一般に、マルチ表示方式の液晶表示装置として、ＴＦＴ素子を用いたアクティブマトリクス型の液晶パネルを単につなぎ合わせただけの液晶表示装置では、それぞれの液晶パネルの接続部に生じる隙間からバックライトの光が漏れ、表示画面におけるつなぎ目が目立ちやすい。
【００４９】
しかしながら、本実施の形態の液晶表示装置２０においては、２つの液晶パネル２１・２１をつなぎ合わせて構成した大型パネルの表裏ほぼ全面に、互いの偏光軸が直交する方向で偏光板２４・２４が設置されている。このため、接続部１３からの光の漏れが偏光板２４・２４のクロスニコル状態で黒色を呈する。
【００５０】
したがって、液晶表示装置のほぼ正面に位置する観視者から見た場合は、液晶パネル２１・２１の接続部１３から漏れる光は偏光板２４・２４のクロスニコル状態で完全な黒状態が実現できるので、表示画面におけるつなぎ目を目立ちにくくすることができる。
【００５１】
ここで、屈折率調整材１４の屈折率を、可視光全領域において各液晶パネル２１・２１を構成する基板、すなわち、ＴＦＴ基板１、対向基板８および大型透明基板２３に完全に合わせることは難しい。それゆえ、わずかながら接続部１３で光の屈折や散乱が生じ、目立ちにくいとはいえ、上記つなぎ目がある程度、観視者によって確認されてしまう。
【００５２】
ところが、本実施の形態の液晶表示装置２０の画素配列は、図３に示すように、２つの液晶パネル２１・２１のパネル基板に配されているマトリクス状の画素２…において、Ｒ・Ｇ・Ｂ各色のカラーフィルタ１１…に対応した３つの画素電極５…が、接続部１３からほぼ等距離となるように、Ｒ・Ｇ・Ｂの順に同図のＹ軸方向に沿って配設されている。
【００５３】
これによって、接続部１３に近接した画素２…に対応したカラーフィルタ１１…を透過する光が接続部１３により光の散乱や屈折の影響を受けても、各画素２…の色変調の度合いがほぼ等しくなる。このため、接続部１３に近接する画素２の斜め方向からの光に対して、光の色バランスが崩れず、接続部１３での色調の異なる領域が生じない。したがって、表示画面におけるつなぎ目がより目立たなくなるという効果を得ることができる。
【００５４】
つまり、図４に示すように、２つの液晶パネルをそれぞれ２１ａ・２１ｂとした場合、Ｒ・Ｇ・Ｂ各色に対応する画素電極５…が、液晶パネル２１ａ・２１ｂの接続部１３からほぼ等距離に配置されている。このため、透過光Ｒ、透過光Ｂは、それぞれ液晶パネル２１ｂの下方から液晶パネル２１ａ上の画素電極５…に向かって入射した場合、ともに液晶パネル２１ａ・２１ｂの接続部１３を通過した後に各画素電極５…上に形成されたカラーフィルタ１１…（図４には図示せず）を透過することになる。言い換えれば、Ｒ・Ｇ・Ｂ各色のカラーフィルタ１１…を透過する光は、液晶パネル２１ａ・２１ｂの接続部１３によって同じ度合の影響を受けている。
【００５５】
すなわち、液晶パネル２１ｂ側から接続部１３を介して液晶パネル２１ａ側に透過する光が、接続部１３に近接したどのカラーフィルタ１１…においても同じ状態で透過することができる。これによって、液晶パネル２１ｂ側から屈折率調整材１４を介して液晶パネル２１ａ側に透過する光は、接続部１３に近接した画素２…を透過するとき、この画素２…の各色に対応する画素電極５…に対して屈折率調整材１４による色変調を等しくすることができるので、画素２…全体の色崩れを生じさせない。
【００５６】
また、一般に、液晶パネルを複数個つなぎ合わせる際、液晶パネルのガラス厚のばらつきや反りなどの影響で、段差なくつなぎ合わせることは非常に困難である。さらに、液晶パネルを加工する際、液晶パネルのエッジにチッピングなどの傷も生じる。このような液晶パネルのつなぎ合わせ部の段差あるいは液晶パネルのエッジの傷があれば、そこで光の散乱が生じるため、つなぎ目を目立たせる原因となる。
【００５７】
しかしながら、本実施の形態の液晶表示装置２０では、図２に示すように、２つの液晶パネル２１・２１を１枚の大型透明基板２３上に、屈折率調整材１４を介して貼り合せているため、観視者が大型透明基板２３側から表示画像を観視したときに、液晶表示装置２０の表面に、各液晶パネル２１・２１のガラス厚のばらつきや反りなどの影響による段差や傷が露出されない。それにより、つなぎ目のさらに目立たない自然な表示画像を得ることができる。
【００５８】
さらに、上記の大型透明基板２３は、各液晶パネル２１・２１をつなぎ合わせて液晶表示装置２０が大面積化した際に補強板としての役目も果たすため、液晶表示装置２０の耐衝撃性を向上させることができる。それにより、本実施の形態の液晶表示装置２０は、さらなる大画面化を可能としたつなぎ目の目立たない自然な表示画像を有するものとすることができる。
【００５９】
以上のことから、上記液晶表示装置２０においては、２つの液晶パネル２１・２１における接続部１３を目立たなくし、この結果、液晶表示装置２０の表示品位を向上させることができる。
【００６０】
なお、本実施の形態では、液晶パネルを２枚接続した場合について述べたが、たとえば３枚の液晶パネルを横方向に並べて接続しても良い。このように、横方向に長くなるように液晶パネルを接続して大画面とすることで、近年の横長テレビあるいはワイドテレビなどに対応させることができる。
【００６１】
次に、上記の液晶表示装置２０の駆動方法について説明する。
本実施の形態の液晶表示装置２０は、前記の通り、走査線３…がＹ軸方向に沿って形成されている。そのため、画面の左から右方向、あるいは、右から左方向へと図１のＸ軸方向に沿って線順次走査を行う必要がある。従来の液晶表示装置では、Ｙ軸方向、すなわち、表示画面上で得られる、たとえばビルなどといった建造物の表示画像における上下方向となるような方向に沿って線順次走査を行い画像を表示するように画像データが設定されている。それゆえ、本実施の形態では、従来のＹ軸方向に対する線順次走査用の画像データをＸ軸方向に対する線順次走査用の画像データに変換しなければならない。
【００６２】
従来の画像データ処理では、図１５に示すように、液晶表示装置にカラー表示データを示すコンポジット信号５１が入力され、これがＲＧＢデコーダ５２によりＲ・Ｇ・Ｂ各色の画像データに分解される。分解された各色の画像データは、ガンマ特性の補正５３を受け、極性反転５４された後、Ｙ軸方向に線順次走査され、液晶パネル５５において画像として表示される。
【００６３】
本実施の形態の液晶表示装置２０の画像データでは、図５に示すように、上記従来の画像データ処理と比較して、フレーム内の画像データを並べ替えるフレームメモリ（データ記憶手段、図５〜図７ではＦＭと省略）５８ａ・５８ｂが、Ｒ・Ｇ・Ｂ各色の画像データごとに２個ずつ、計６個追加されている。また、これに伴い、フレームメモリ５８ａ・５８ｂに格納する画像データをデジタル化するＡ／Ｄコンバータ５６と、フレームメモリ５８ａ・５８ｂから出力された画像データをアナログ化するＤ／Ａコンバータ５７が、Ｒ・Ｇ・Ｂ各色にそれぞれ設けられている。
【００６４】
データ変換の過程について順を追って説明すると、液晶表示装置に入力されたコンポジット信号５１は、まず、ＲＧＢデコーダ５２によってＲ・Ｇ・Ｂ各色の画像データに分解される。以下Ｒ（赤）の画像データ（以下Ｒデータとする）について説明すると、分解されたＲデータは、Ａ／Ｄコンバータ５６によりデジタル化された後、フレームメモリ５８ａ・５８ｂへ取り込まれる。
【００６５】
フレームメモリ５８ａ・５８ｂは、メモリ内を液晶パネルの大きさに合わせてｎ行、ｍ列の番地に区切っている。そして、図６（ａ）に示すような、間隔１Ｈの入力同期信号によってＲデータ（ここでは画像データをＤとする）を、〔Ｄ１１，Ｄ１２，Ｄ１３，…，Ｄ１ｎ〕、〔Ｄ２１，Ｄ２２，Ｄ２３，…，Ｄ２ｎ〕、…、〔Ｄｍ１，Ｄｍ２，Ｄｍ３，…，Ｄｍｎ〕の順で１間隔につき１行ごとに格納する。
【００６６】
また出力時には、図６（ｂ）に示すような、間隔１Ｈ’の出力同期信号によって、〔Ｄ１１，Ｄ２１，Ｄ３１，…，Ｄｍ１〕、〔Ｄ１２，Ｄ２２，Ｄ３２，…，Ｄｍ２〕、…、〔Ｄ１ｎ，Ｄ２ｎ，Ｄ３ｎ，…，Ｄｍｎ〕の順に１間隔につき１列ごとに配列変換されたＲデータを出力する。
【００６７】
また、フレームメモリ５８ａ・５８ｂは、Ｒデータの格納と出力とを同時に行うことができるように、第一のメモリ（図５および図７ではＦＭ１と省略）５８ａと第二のメモリ（図５および図７ではＦＭ２と省略）５８ｂとの２種類を備えている。そして、図７に示すような入出力同期信号によりこれらフレームメモリ５８ａ・５８ｂを制御し、第一のメモリ５８ａと第二のメモリ５８ｂとを交互に作動させる。
【００６８】
つまり、まず、図７（ａ）に示す入力同期信号によって、第一のメモリ５８ａがＲデータを格納している期間は、図７（ｄ）に示す出力同期信号によって第二のメモリ５８ｂがＲデータを出力する。次に、図７（ｂ）に示す出力同期信号によって、第二のメモリ５８ｂがＲデータを格納し始めると、図７（ｃ）に示す出力同期信号によって、第一のメモリ５８ａがＲデータを出力する。
【００６９】
そのため、上記入出力同期信号は、たとえば図７に示すように、それぞれ間隔が２Ｖで周波数も同一となっているが、ただし、第一のメモリ５８ａのデータ格納および第二のメモリ５８ｂのデータ出力を制御する入出力同期信号と、第二のメモリ５８ｂのデータ格納および第一のメモリ５８ａのデータ出力を制御する入出力同期信号とは、半間隔１Ｖずれた状態で設定されている。ここで、Ｒ・Ｇ・Ｂ各色の画像データの格納および出力は、表示画像の乱れを防止するため、必ず上記の入出力同期信号を基準として行う必要がある。
【００７０】
上記のようにフレームメモリ５８ａ・５８ｂの作動を設定することで、フレームごとのＲデータの変換を行うことができる。そして、上記フレームメモリ５８ａ・５８ｂから出力されたＲデータは、図５に示すように、Ｄ／Ａコンバータ５７によってアナログ化された後、ガンマ特性の補正５３を受け、極性反転５４される。Ｇ（緑）およびＢ（青）の画像データも上記Ｒデータと同じデータ変換を受け、この後、変換されたＲ・Ｇ・Ｂ各色の画像データが液晶表示装置２０において表示画像として表示される。
【００７１】
これによって、図１に示すような走査線３…および信号線４…の配設関係を有する本実施の形態の液晶表示装置２０においても、従来の液晶表示装置と同様の画像表示を行うことができるので、つなぎ目を目立たなくできるとともに、表示画面の品質向上をはかることが、より容易に可能となる。
【００７２】
なお、本実施の形態の液晶表示装置２０の駆動方法は、上記の方法に限定されるものではない。たとえば、パソコンから画像データを入力する場合などは、Ａ／Ｄコンバータを使用する方法に代えて、直接デジタル画像データをフレームメモリに入力する方法を用いることができる。また、上記のデータ変換処理方法の代わりに、ソフトウエアを用いて直接パソコンでデータ変換を行うこともできる。上記フレームメモリの数なども特に限定されるものではない。
【００７３】
また、上記したように、本実施の形態では液晶パネルとして、ＴＦＴ素子を利用したアクティブマトリクス型の液晶パネルを用いたが、アクティブマトリクス型の液晶パネルとしては、他に、ダイオード（ＭＩＭ、Ｍｅｔａｌ  Ｉｎｓｕｌａｔｏｒ  Ｍｅｔａｌ）を用いたものも有効である。また、アクティブマトリクス型以外の液晶パネルとして、デューティ駆動型の液晶パネルも有効である。ただし、クロストークが少なく、より表示品位の高い表示画像を得ることができる点から、アクティブマトリクス型の液晶パネルを利用することが望ましい。
【００７４】
〔実施の形態２〕
本発明の実施の他の形態について図８ないし図１１に基づいて説明すれば、以下の通りである。本実施の形態では、上記実施の形態１と同じく２枚の液晶パネルを隣接接続してカラー大画面表示を行なう液晶表示装置について説明する。また、これによって本発明が限定されるものではない。
【００７５】
図８に示すように、本実施の形態に係るアクティブマトリクス型の液晶表示装置２５は、画素電極５…に接続されている走査線３３…および信号線３４…の配設の方法が異なっている以外は、上記実施の形態１と同じである。
【００７６】
つまり、透明な絶縁性基板からなるＴＦＴ基板１上に画素２…がマトリクス状に形成されており、一つの画素２には、Ｒ・Ｇ・Ｂ各色の３つの画素電極５…が、画素開口部が液晶パネルのＹ軸方向となるように並んで形成されている。すなわち、前記図３と同じく、３つの画素電極５…が、液晶パネル２１・２１の接続部１３から等距離になるよう配置されている。Ｒ・Ｇ・Ｂ各色の画素電極５…には、それぞれＴＦＴ素子６…が接続されている。
【００７７】
ＴＦＴ素子６…には、それぞれが絶縁膜７…によって絶縁された走査線３３…と、信号線３４…とが接続されている。走査線３３…はＸ軸方向に、信号線３４…はＹ軸方向にそれぞれ配設されている。つまり、走査線３３…と信号線３４…の配設関係については、一般的なアクティブマトリクス型の液晶表示装置と同様となっている。
【００７８】
ところが、走査線３３は、従来、一つの画素２ごとに配設されているのに対し、本実施の形態では、Ｒ・Ｇ・Ｂ各色に対応する画素電極５…それぞれに配設されている。すなわち、一つの画素２に対して３つの走査線３３が配設されていることになる。また、信号線３４は、従来、Ｒ・Ｇ・Ｂ各色に対応する画素電極５…それぞれに配設されているのに対し、本実施の形態では一つの画素２ごとに配設されている。
【００７９】
上記のＴＦＴ基板１を用いた本実施の形態に係る液晶表示装置２５の駆動方法について説明する。
本実施の形態の液晶表示装置２５は、上記の通り、信号線３４…が、表示画面のＹ軸方向に沿って形成され、かつ、走査線３３…がＲ・Ｇ・Ｂ各色に対応する画素電極５…に個々に配設されている。そのため、画面の線順次走査は、画素２…に対してではなく、画素２…を構成するＲ・Ｇ・Ｂ各色に対応する画素電極５…それぞれに対して行う必要がある。
【００８０】
上記の条件に対応するために、本実施の形態の液晶表示装置２５に用いる画像データ処理には、図９に示すように、前記図１５に示した従来の画像データ処理と比較して、画像データを並べ替えるラインメモリ（データ記憶手段、図９〜図１１ではＬＭと省略）５９ａ・５９ｂが、各色の画像データごとに２個、計６個追加されている。
【００８１】
また、これに伴い、ラインメモリ５９ａ・５９ｂに格納する画像データをデジタル化するＡ／Ｄコンバータ５６が、Ｒ・Ｇ・Ｂ各色の画像データに対してそれぞれ設けられている。また、ラインメモリ５９ａ・５９ｂからそれぞれ独立して出力されるＲ・Ｇ・Ｂ各色の画像データをアナログ化するＤ／Ａコンバータ５７が設けられている。
【００８２】
データ変換の手順を順を追って説明すると、液晶表示装置２５に入力されたコンポジット信号５１は、まず、ＲＧＢデコーダ５２によりＲ・Ｇ・Ｂ各色の画像データに分解される。分解された各色の画像データは、Ａ／Ｄコンバータ５６により、それぞれデジタル信号に変換された後、ラインメモリ５９ａ・５９ｂに一度格納されてから出力される。
【００８３】
ラインメモリ５９ａ・５９ｂは、実施の形態１のフレームメモリ５８ａ・５９ｂと同様に、画像データの格納と出力を同時に行えるように、第一のメモリ（図９〜図１１ではＬＭ１と省略）５９ａと第二のメモリ（図９〜図１１ではＬＭ２と省略）５９ｂの２種類を備えている。第一のメモリ５９ａおよび第二のメモリ５９ｂは、図１０に示す入出力同期信号により制御され、第一のメモリ５９ａと第二のメモリ５９ｂとが交互に作動するようになっている。つまり、第一のメモリ５９ａで画像データを格納している期間は第二のメモリ５９ｂで画像データの出力を行い、第一のメモリ５９ａが画像データを格納し始めると第二のメモリ５９ｂが画像データを出力する。
【００８４】
この際、図１０に示すように、ラインメモリ５９ａ・５９ｂにおける入力同期信号に対し、出力同期信号の周波数を３倍にすることにより、画像データを１／３の時間に圧縮して出力する。すなわち、入出力同期信号の隣合う同期信号の間隔を２Ｈとした場合、画像データの格納では、半間隔１Ｈの周期で第一のメモリ５９ａと第二のメモリ５９ｂとが交互に作動し、該データの出力では、１／３Ｈの周期で第一のメモリ５９ａと第二のメモリ５９ｂとが交互に作動する。
【００８５】
上記ラインメモリ５９ａ・５９ｂにおいて１／３の時間に圧縮された出力信号は、Ｒ・Ｇ・Ｂの順に繰り返される走査信号に同期させるため、図１０の入出力同期信号により、各ラインメモリ５９ａ・５９ｂの入出力のタイミングを調節し、並行して格納されたＲ・Ｇ・Ｂ各色の信号の画像データがＲ・Ｇ・Ｂの順に繰り返し出力できるように設定する。
【００８６】
つまり、まず、図１０（ａ）、（ｃ）、（ｅ）に示す入力同期信号によって、第一のメモリ５９ａがＲ・Ｇ・Ｂ各色の信号の画像データをそれぞれ並行して格納している期間に、図１０（ｈ）、（ｊ）、（ｌ）に示す出力同期信号によって第二のメモリ５９ｂが１／３の時間に圧縮された画像データをＲ・Ｇ・Ｂの順に出力する。次に、図１０（ｂ）、（ｄ）、（ｆ）に示す入力同期信号によって、第二のメモリ５９ｂがＲ・Ｇ・Ｂ各色の信号の画像データをそれぞれ並行して格納し始めると、図１０（ｇ）、（ｉ）、（ｋ）に示す出力同期信号によって、第一のメモリ５９ａが１／３の時間に圧縮された画像データをＲ・Ｇ・Ｂの順に出力する。
【００８７】
ここで、Ｒ・Ｇ・Ｂ各色の画像データの格納および出力は、表示画像の乱れを防止するため、必ず上記の入出力同期信号を基準として行う必要がある。
【００８８】
上記の入出力同期信号によって制御されたラインメモリ５９ａ・５９ｂによって、Ｒ・Ｇ・Ｂ各色の画像データ（ここではＤで示す）が図１１に示すように格納および出力される。Ｒ・Ｇ・Ｂ各色の画像データ〔Ｄｎ−１〕は、第一のメモリ５９ａに対して、図１０に示す入力同期信号（図１１では（ａ）に示す入力同期信号）にしたがって、信号の間隔１Ｈの時間に図１１（ｂ）〜（ｄ）に示すようにそれぞれ並行して格納される。これと同時に、第二のメモリ５９ｂからＲ・Ｇ・Ｂ各色の画像データ〔Ｄｎ−２〕が、図１０に示す出力同期信号（図１１では（ｈ）に示す出力同期信号）にしたがって、図１１（ｊ）に示すように、上記格納の時間と比較して１／３に圧縮された、信号の間隔１／３Ｈの時間で、Ｒ・Ｇ・Ｂの順に繰り返し出力される。
【００８９】
つまり、Ｒ・Ｇ・Ｂ各色の画像データ〔Ｄｎ−１〕それぞれが、第一のメモリ５９ａそれぞれに格納されている時間の長さと、画像データ〔Ｄｎ−２〕が、第二のメモリ５９ｂからＲ・Ｇ・Ｂの順に出力される時間の長さとが等しくなるようになっている。
【００９０】
そして、第一のメモリ５９ａへの画像データ〔Ｄｎ−１〕の格納、および第二のメモリ５９ｂから画像データ〔Ｄｎ−２〕の出力が同時に終了すると、Ｒ・Ｇ・Ｂ各色の画像データ〔Ｄｎ〕が、図１０に示す入力同期信号（図１１では（ａ）に示す入力同期信号）にしたがって、図１１（ｅ）〜（ｆ）に示すようにそれぞれ平行して第二のメモリ５９ｂに格納される。これと同時に第一のメモリ５９ａから、先ほど格納された画像データ〔Ｄｎ−１〕が、図１０に示す出力同期信号（図１１では（ｈ）に示す出力同期信号）にしたがって、図１１（ｉ）に示すように上記格納時の時間と比較して１／３に圧縮された時間で、Ｒ・Ｇ・Ｂの順に繰り返し出力される。
【００９１】
画像データ〔Ｄｎ〕の格納と画像データ〔Ｄｎ−１〕の出力が終了すると、再び、第一のメモリ５９ａそれぞれが、図１０に示す入力同期信号（図１１では（ａ）に示す入力同期信号）にしたがって、図１１（ｂ）〜（ｄ）に示すようにそれぞれ並行してＲ・Ｇ・Ｂ各色の画像データ〔Ｄｎ＋１〕を格納し、同時に第二のメモリ５９ｂが先ほど格納した画像データ〔Ｄｎ〕を、図１０に示す出力同期信号（図１１では（ｈ）に示す出力同期信号）にしたがって、図１１（ｊ）に示すようにＲ・Ｇ・Ｂの順に出力する。これを繰り返すことによって、Ｒ・Ｇ・Ｂ各色ごとにライン走査を行うことができる。
【００９２】
そして、上記ラインメモリ５９ａ・５９ｂから出力されたＲ・Ｇ・Ｂ各色の画像データは、Ｄ／Ａコンバータ５７でアナログ信号に変換された後、ガンマ特性の補正５３を受け、極性反転５４され、画素電極５…に対して表示画面のＹ軸方向に線順次走査が行われ、液晶パネル５５に表示画像として表示される。これによって、図８に示すような走査線３３…および信号線３４…の配設関係を有する本実施の形態の液晶表示装置２５においても、従来の液晶表示装置と同様の画像表示を行うことができる。
【００９３】
なお、本実施の形態の液晶表示装置２５における駆動方法は、上記の方法に限定されるものではない。たとえば、パソコンから画像データを入力する場合などは、Ａ／Ｄコンバータなどを使用する方法に代えて、直接デジタル画像データをラインメモリに入力する方法を用いることができる。また、上記のデータ変換処理方法の代わりに、ソフトウエアを用いて直接パソコンでデータ変換を行うこともできる。
【００９４】
また、上記したように、本実施の形態では液晶パネルとして、ＴＦＴ素子を利用したアクティブマトリクス型の液晶パネルを用いたが、アクティブマトリクス型の液晶パネルとしては、他に、ダイオード（ＭＩＭ、ｍｅｔａｌ  ｉｎｓｕｌａｔｏｒ  ｍｅｔａｌ）を用いたものも有効である。また、アクティブマトリクス型以外の液晶パネルとして、デューティ駆動型の液晶パネルも有効である。ただし、クロストークが少なく、より表示品位の高い表示画像を得ることができる点から、アクティブマトリクス型の液晶パネルを利用することが望ましい。
【００９５】
ところで、本願発明者らは、特願平７−２９３９５号（特開平８−１２２７６９号公報）において、液晶パネル同士のつなぎ目に、液晶パネルを構成するパネル基板の屈折率とほぼ同じ屈折率の屈折率調整材を充填することで、表示画面におけるつなぎ目を目立たなくすることを提案している。
【００９６】
上記方法による液晶表示装置は、図２に示す本発明の液晶表示装置２０と同じ構造をしているが、液晶表示装置を構成する液晶パネル１０１上には、図１２に示すような、マトリクス状の画素１１３…が形成されている。
【００９７】
上記画素１１３…は、赤（Ｒ）、緑（Ｇ）、青（Ｂ）各色のカラーフィルタに対応した３つの画素電極１１４…が、Ｒ・Ｇ・Ｂの順で、表示画面で得られる、たとえばビルなどといった建造物の表示画像における上下方向となる方向に対して直交する方向である、接続部１１１に直交する方向（図１２ではＸ軸方向）に並んで形成されている。
【００９８】
この方法では、本発明の液晶表示装置と同じく、液晶パネル１０１・１０１の接続部１１１に、ＴＦＴ基板および対向基板とほぼ同じ屈折率の屈折率調整材が充填されている。このため、液晶パネル１０１・１０１の接続部１１１における基板端面の凹凸を原因とした光の屈折・散乱が防止される。これにより、表示画面におけるつなぎ目がある程度目立たない表示画像を得ることが可能となる。
【００９９】
しかしながら、Ｒ・Ｇ・Ｂの各画素電極１１４…は、接続部１１１からの距離が異なっているため、画素電極１１４…上に形成されている図示しないカラーフィルタを透過する光の量が異なってしまう。このため、観視者が斜め方向から表示画面を見た場合、接続部１１１で透過した光の色のバランスが崩れ、液晶パネルのつなぎ目が目立つことになる。
【０１００】
これに対して、本発明の液晶表示装置は、実施の形態１および２とも、図３に示す画素電極の配置をとるため、上記の問題が生じることはない。したがって、上記方法と比較して、よりつなぎ目を目立たなくすることができるものとなっている。
【０１０１】
【発明の効果】
本発明の液晶表示装置は、以上のように、カラー表示のための複数の各カラーフィルタに対応した複数の画素電極を、それぞれ得られる表示画像における上下方向となる方向に並んで有している画素が複数マトリクス状に設けられ、かつ、走査線が、上記表示画像における上下方向となる方向に沿って配設され、上記各画素電極を駆動する複数の信号線が、上記表示画像における上下方向となる方向に対して交差する方向に沿って配設されている液晶パネルを有する構成である。
【０１０２】
それゆえ、上記構成では、各カラーフィルタに対応した各画素電極を走査線および信号線により駆動することで、各画素でのカラー表示が可能となる。また、上記構成では、走査線を得られる表示画像における上下方向となる方向に沿って配設することによって、信号線を上記表示画像における上下方向となる方向に対し、たとえば直交するように交差する方向に沿って直線状に配設することができる。そのため、従来のように信号線をコ字状に配設する必要がない。したがって、信号線の１ライン長を従来より短くできるので、電気信号となる画像表示信号の遅延を抑制することができる。また、上記構成では、走査線と信号線の交差箇所が従来のように増加することを防止でき、該交差箇所での電気短絡による不良を低減することができるという効果を奏する。
【０１０３】
本発明の液晶表示装置は、以上のように、液晶パネルが、複数、各画素による表示面を同一平面とするように並べられ、かつ、得られる表示画像における上下方向となる方向に沿った端部で互いに接続される構成である。
【０１０４】
それゆえ、上記構成では、複数の画素電極が、液晶パネルの接続部から等距離となるように、得られる表示画像における上下方向となる方向に沿って形成されているため、上記接続部に近接した画素電極に対応したカラーフィルタを透過する光が、接続部により光の散乱や屈折の影響を受けても、各画素電極の色変調の度合いが等しくなる。
【０１０５】
このため、上記構成では、接続部に近接する画素の斜め方向からの光に対して光の色バランスが崩れず、接続部での色調の異なる領域が生じない。したがって、表示画面におけるつなぎ目がより目立たなくなるため、より品位の高い大画面表示を得ることができるという効果を奏する。
【０１０６】
本発明の液晶表示装置は、以上のように、得られる表示画像における上下方向となる方向に線順次走査するための画像データの配列を上記表示画像における上下方向となる方向に対して交差する方向に線順次走査するための画像データの配列に変換するためのデータ記憶手段を有する構成である。
【０１０７】
それゆえ、上記構成では、走査線および信号線が上記の配設関係をとることによって、線順次走査を行う方向は、得られる表示画像における上下方向となる方向からこの方向に対し交差する方向に変更される必要がある。このため、上記表示画像における上下方向となる方向に対応した画像データを、データ記憶手段に一度格納して、上記表示画像における上下方向となる方向に対して交差する方向に並べ代えて出力することによって、従来の液晶表示装置と同様の画像表示を行うことができ、かつ、画像表示信号の遅延を抑制できるとともに、不良率も改善でき、さらに、液晶パネルをつなぎ合わせた場合に、より品位の高い大画面表示を得ることができるという効果を奏する。
【０１０８】
本発明の液晶表示装置は、以上のように、カラー表示のための複数の各カラーフィルタに対応した複数の画素電極をそれぞれ得られる表示画像における上下方向となる方向に並んで有している画素が複数マトリクス状に設けられ、かつ、上記各画素電極を駆動する複数の信号線が、上記表示画像における上下方向となる方向に沿って配設され、走査線が上記複数の画素電極毎に、上記表示画像における上下方向となる方向に対して交差する方向に沿って配設されている液晶パネルを有する構成である。
【０１０９】
それゆえ、上記構成では、各カラーフィルタに対応した各画素電極を走査線および信号線により駆動することで、各画素でのカラー表示が可能となる。また、上記構成では、走査線を上記複数の画素電極毎に、得られる表示画像において上下方向となる方向に対して、たとえば直交するように交差する方向に沿って配設している。このため、上記各画素電極に対する信号線を直線状に配設することができ、従来のように信号線をコ字状に配設する必要がない。したがって、信号線の１ライン長を従来より短くできるので、電気信号となる画像表示信号の遅延を抑制することができる。また、上記構成では、走査線と信号線の交差箇所が従来のように増加することを防止でき、該交差箇所での電気短絡による不良を低減することができるという効果を奏する。
【０１１０】
本発明の液晶表示装置は、以上のように、得られる表示画像における上下方向となる方向に線順次走査するための画像データを画素における複数の画素電極に対応する複数の画像データに分解し、前記分解された画像データを順に出力するようにタイミングを制御するためのデータ記憶手段を有する構成である。
【０１１１】
それゆえ、上記構成では、走査線および信号線が上記の配設関係をとるため、画面の線順次走査は、一つの画素を構成する各色の複数の画素電極ごとに行われる必要がある。そこで、データ記憶手段を用いて、各色の複数の画像データを平行してデータ記憶手段に格納し、該データを格納時の１／３の時間に圧縮してタイミングを制御しながら各色の画像データをそれぞれ一つずつ液晶パネルへ出力し、各色の画素電極ごとに線順次走査を行うことによって、従来の液晶表示装置と同様の画面表示を行うことができ、かつ、画像表示信号の遅延を抑制できるとともに、不良率も改善でき、さらに、液晶パネルをつなぎ合わせた場合に、より品位の高い大画面表示を得ることができるという効果を奏する。
【図面の簡単な説明】
【図１】本発明の実施の一形態に係る液晶表示装置の画素部の詳細を示す概略平面図である。
【図２】上記の液晶表示装置の概略断面図である。
【図３】図２に示す液晶表示装置の概略平面図である。
【図４】図２に示す液晶表示装置の液晶パネル同士のつなぎ目近傍における透過光の状態を示す説明図である。
【図５】上記の液晶表示装置の駆動方法のブロック図である。
【図６】図５に示す液晶表示装置の駆動方法のフレームメモリへの画像データの入出力の順序を示す図である。
【図７】図５に示す液晶表示装置の駆動方法において第一のフレームメモリと第二のフレームメモリとを切り換える入出力同期信号の図である。
【図８】本発明の実施の他の形態に係る液晶表示装置の画素部の詳細を示す概略平面図である。
【図９】上記の液晶表示装置の駆動方法のブロック図である。
【図１０】図９に示す液晶表示装置の駆動方法のラインメモリへの画像データの入出力の順序を示す図である。
【図１１】図９に示す液晶表示装置の駆動方法のラインメモリへの画像データの入出力を示すタイムチャートである。
【図１２】従来の液晶表示装置の概略平面図である。
【図１３】従来の液晶表示装置の概略平面図である。
【図１４】従来の液晶表示装置の画素部の詳細を示す概略平面図である。
【図１５】従来の液晶表示装置の駆動方法のブロック図である。
【符号の説明】
１    ＴＦＴ基板
２    画素
３    走査線
４    信号線
５    画素電極
６    ＴＦＴ素子
１３  接続部
２０  液晶表示装置
２１  液晶パネル
２５  液晶表示装置
３３  走査線
３４  信号線
５８ａ・５８ｂ  フレームメモリ（データ記憶手段）
５９ａ・５９ｂ  ラインメモリ（データ記憶手段）
【図１】
0003607275.tif 000002
【図２】
0003607275.tif 000003
【図３】
0003607275.tif 000004
【図４】
0003607275.tif 000005
【図５】
0003607275.tif 000006
【図６】
0003607275.tif 000007
【図７】
0003607275.tif 000008
【図８】
0003607275.tif 000009
【図９】
0003607275.tif 000010
【図１０】
0003607275.tif 000011
【図１１】
0003607275.tif 000012
【図１２】
0003607275.tif 000013
【図１３】
0003607275.tif 000014
【図１４】
0003607275.tif 000015
【図１５】
0003607275.tif 000016